(57)【特許請求の範囲】
【請求項１】
予測符号化された符号化音声信号のフレームを受け取り、該符号化音声信号と内部状態とから励起信号を生成し、この励起信号に基づいて復号音声信号を生成するとともに前記内部状態を更新し、フレームの符号誤りがあった場合には前記励起信号を減衰させるコンシールメント処理を行う音声復号器において、
所定の基準フレーム誤り数を越える連続したフレーム誤りが生じた場合に、この連続したフレーム誤りがなくなってから一定期間、増幅指示信号を出力する増幅制御手段と、
前記増幅指示信号が出力されている間、前記励起信号を増幅する増幅手段と、
を備えたことを特徴とする音声復号器。
【請求項２】
前記増幅制御手段は、
前記フレーム誤りを検出し、誤り検出信号を出力する誤り検出手段と、
前記誤り検出信号に基づいて、連続したフレーム誤りのフレーム数をカウントし、連続フレーム誤り数を出力するカウント手段と、
前記カウント手段から出力される連続フレーム誤り数が前記基準フレーム誤り数を越えた場合に、その後、フレーム誤りがなくなってから一定期間、前記増幅指示信号を出力する増幅指示信号出力手段と、
を備えたことを特徴とする請求項１に記載の音声復号器。
【請求項３】
CELP方式に音声符号化器によって符号化された信号の復号を行うことを特徴とする請求項１に記載の音声復号器。
【請求項４】
予測符号化された符号化音声信号のフレームを受け取り、該符号化音声信号と内部状態とから励起信号を生成し、この励起信号に基づいて復号音声信号を生成するとともに前記内部状態を更新し、フレームの符号誤りがあった場合には前記励起信号を減衰させるコンシールメント処理を行う音声復号方法において、
所定の基準フレーム誤り数を越える連続したフレーム誤りが生じた場合には、この連続したフレーム誤りがなくなってから所定フレーム数の間、前記励起信号を増幅することを特徴とする音声復号方法。
【発明の詳細な説明】
技術分野
この発明は、音声CODECに用いられる音声復号器および音声復号方法に関する。
背景技術
音声符号化方法の１つとして、CELP（Code Excited Linear Predictive Coding）が注目されている。
このCELPは、過去の復号結果から現在の音声信号のサンプルを予測し、音声信号のサンプルの予測値と実際のサンプル値の差である予測誤差を符号化して送る予測符号化の一種である。そして、このCELPでは、予測誤差を雑音系列によりベクトル量子化して送信する。
このCELPのような予測符号化方法により得られた符号化音声信号を受信して復号する復号器では、一定のフレーム周期毎に、符号化音声信号と復号器の内部状態とから励起信号が発生され、この励起信号から音声信号が復号されるとともに、この励起信号により内部状態の更新が行われる。ここで、符号化音声信号のフレームに符号誤りがあることが判明した場合には、励起信号を減衰させるコンシールメント処理が行われる。なお、このコンシールメント処理については、例えばR.Salam他による文献“Design and Description of CS−ACELP:A Toll Quality 8kb/s Speech Coder",IEEE Trans.on Speech and Audio Processing,vol.6 No.2,March 1998に説明されている。
このコンシールメント処理が行われることによりフレーム誤りによる耳障りな歪みの発生が防止される。
しかし、複数フレーム連続して受信フレームに符号誤りが生じ、このコンシールメント処理が繰り返されると、復号器の内部状態がほぼ零に近くなってしまう。このため、その後、連続したフレーム誤りが終了したとしても、正常に受信された符号化音声信号が本来の電力量で復号されるようになるまで長時間を要してしまうという問題点があった。
発明の開示
この発明は以上説明した事情に鑑みてなされたものであり、その目的は、符号化音声信号が連続して誤った場合でも、再び符号化音声信号が正常に入力されたときには早期に本来の電力量での復号が可能な状態に復帰させることができる音声復号器および音声復号方法を提供することにある。
この目的を達成するため、この発明は、予測符号化された符号化音声信号のフレームを受け取り、該符号化音声信号と内部状態とから励起信号を生成し、この励起信号に基づいて復号音声信号を生成するとともに前記内部状態を更新し、フレームの符号誤りがあった場合には前記励起信号を減衰させるコンシールメント処理を行う音声復号器において、所定の基準フレーム誤り数を越える連続したフレーム誤りが生じた場合に、この連続したフレーム誤りがなくなってから一定期間、増幅指示信号を出力する増幅制御手段と、前記増幅指示信号が出力されている間、前記励起信号を増幅する増幅手段とを備えたことを特徴とする音声復号器を提供するものである。
本発明によれば、連続してーム誤りが発生した場合であって、かつ、その後フレーム誤りがなくなった場合に、復号器の内部状態を早期にフレーム誤り発生前の状態に戻し、本来の電力量での復号を行うことができるので、フレーム誤り回復後の主観音声品質の劣化を軽減することができる。
【図面の簡単な説明】
図１は、この発明の一実施形態である音声復号器の構成を示すブロック図である。
図２は、同実施形態のCELPデコーダへの適用例を示すブロック図である。
図３は、同CELPデコーダの励起信号再構築部の具体的構成を示すブロック図である。
発明の実施するための最良の形態
次に図面を参照して本発明の好適な実施形態について説明する。
A.実施形態の構成
図１はこの発明の一実施形態である音声復号器10の構成を示すブロック図である。
この音声信号器10は、復号処理部11と増幅処理制御部12とを有している。
ここで、復号処理部11は、受信した符号化音声信号（ビットストリーム）BSを復号化して復号音声信号SPを出力する装置である。また、符号化音声信号BSには、コードブックパラメータPCと、ゲインパラメータPGと、合成パラメータPSYとが含まれている。
増幅処理制御部12は、符号化音声信号BSのフレーム誤りの発生状況を監視し、所定の基準フレーム誤り数を越える連続したフレーム誤りが生じた場合に、この連続したフレーム誤りがなくなってから所定フレーム数の間、切替制御信号ＣSW（増幅指示信号）を出力する装置である。なお、この切替制御信号ＣSWを出力する目的およびこの切替制御信号ＣSWに従って行われる処理については後述する。
次に、復号処理部11および増幅処理制御部12の各々の構成について説明する。
まず、復号処理部11は、コードブックデータ生成出力部15と、増幅器16と、合成フィルタ17と、切替スイッチSWとを有している。
ここで、コードブックデータ生成出力部15は、コードブックデコーダ18と前段増幅器19とにより構成されている。
これらのうち、コードブックデコーダ18は、書き換え可能なメモリを有している。このメモリには、最近生成された所定個数のコードブックデータＤCB（後述）が原コードブックデータＤCBOとして記憶される。この原コードブックデータＤCBOは、この復号器の内部状態を示す情報として復号処理に用いられる。コードブックデコーダ18には、符号化音声信号BSに含まれているコードブックパラメータPCが供給される。コードブックデコーダ18は、このコードブックパラメータPCをインデックスとし、上記メモリ内のこのインデックスに対応した記憶エリアに記憶されている原コードブックデータＣCBOを出力する。
前段増幅器19は、この原コードブックデータＤCBOをゲインパラメータPGに対応するゲインで増幅し、コードブックデータＤCBとして出力する。
切替スイッチSWは、前段増幅器19から出力されるコードブックデータＤCBの供給先を切り換えるスイッチであり、上述した切替制御信号ＣSWが出力されていないときはコードブックデータＤCBを合成フィルタ17に供給し、切替制御信号ＣSWが出力されているときはコードブックデータＤCBを増幅器16に出力する。
増幅器16は、切替スイッチSWを介して前段増幅器19からコードブックデータＤCBが供給された場合に、そのコードブックデータＤCBを所定の増幅率で増幅し、増幅コードブックデータＤACBとして出力する。
合成フィルタ17は、コードブックデータＤCBまたは増幅コードブックデーダＤACBの一方（励起信号）と、合成パラメータPSYとから復号音声信号SPを合成して出力する。また、コードブックデータＤCBまたは増幅コードブックデータＤACBのうち合成フィルタ17に入力されるデータ（励起信号）は、新たな原コードブックデータＤCBOとして、上述したコードブックデコーダ18に与えられる。そして、コードブックデコーダ18のメモリ内の原コードブックデータＤCBOのうち最も古いものが廃棄され、新たな原コードブックデータＤCBOがメモリに書き込まれる。
次に、増幅処理制御部12は、誤り検出部21Aと、カウンタ部22Aと、切替制御部23Aとを有している。
誤り検出部21Aは、符号化音声信号BSのフレーム誤りを検出し、誤り検出信号ＳERを出力する。
カウンタ部22Aは、誤り検出信号ＳERに基づいて連続フレーム誤り数をカウントし、カウント信号ＳCNを出力する。具体的には、このカウンタ部22Aは、各フレーム周期において誤り検出信号ＳERが出力されたときはカウント値を「１」だけ増加させ、誤り検出信号ＳERが出力されなかったときはカウント値を「０」にする。そして、各フレーム周期においてカウント値をカウント信号CNとして出力するものである。
切替制御部23Aは、カウント信号ＳCNを監視し、カウント信号ＳCNによって示される連続フレーム誤り数が所定の基準フレーム誤り数を越えた場合に、その後、フレーム誤りがなくなってから所定フレーム数の間、切替スイッチSWを増幅器16側に切り替えるための切替制御信号ＣSWを出力する。ここで、切替制御部23Aは、誤り検出信号ＳERが出力されなくなったことを以て、それまでの連続したフレーム誤りが終了したことを検知する。
B.実施形態の動作
次に音声復号器10の動作について説明する。
以下の説明においては、基準連続フレーム誤り数を「４」とする。また、切替制御部23Aは、連続フレーム誤り数が「４」を越え、かつ、その後フレーム誤りがなくなったタイミングから１フレーム（＝所定フレーム数）の間、切替スイッチSWを増幅器16側に切り替えるための切替制御信号ＣSWを出力するものとする。
▲１▼連続フレーム誤り数が「４」以下であるときの動作
各フレーム周期において、コードブックデータ生成出力部15におけるコードブックデコーダ18から、符号化音声信号BSに含まれるコードブックパラメータPCに対応した原コードブックデータＤCBOが出力される。この原コードブックデータＤCBOは、前段増幅器19によってゲインパラメータPGに対応したゲインで増幅され、コードブックデータＤCBとして出力される。
ここで、連続フレーム誤り数が基準連続フレーム誤り数「４」を越えていないので、切替スイッチSWにより、コードブックデータＤCBの供給先として合成フィルム17が選択される。
従って、前段増幅器19から出力されたコードブックデータＤCBは、切替スイッチSWを介して合成フィルタ17に供給される。合成フィルタ17では、コードブックデータＤCBと合成パラメータPSYとから復号音声信号SPが合成される。また、合成フィルタ17に供給されたコードブックデータＤCBは、新たな原コードブックデータＤCBOとしてコードブックデコーダ18に書き込まれる。
▲２▼連続してフレーム誤りが生じた場合の動作
この音声復号器10では、フレーム誤りが生じると、復号結果を急速に減衰させるコンシールメント処理が行われる。このコンシールメント処理が複数フレーム周期に亙って続くと、コードブックデコーダ18のメモリ内の原コードブックデータＤCBOが次第に「０」に近づいてゆく。なお、このコンシールメント処理については、例えば文献“Design and Description of CS−ACELP:A Toll Quality 8kb/s Speech Coder",IEEE Trans.on Speech and Audio Processing,vol.6 No.2,March 1998に説明されている。
▲３▼連続フレーム誤り数が「４」を越え、その後、フレーム誤りがなくなった場合の動作
連続フレーム誤り数が「４」を越え、その後、フレーム誤りがなくなると、切替制御部23Aから切替制御信号ＣSWが出力され、１フレーム周期の間、切替スイッチSWにより、コードブックデータＤCBの供給先として増幅器16が選択される。
このときコードブックデコーダ18のメモリに記憶された原コードブックデータＤCBOは殆ど「０」であるため、前段増幅器19から得られるコードブックデータＤCBの大きさは僅かである。
しかし、このコードブックデータＤCBは、切替スイッチSWを介して増幅器16に供給され、所定の増幅率で増幅され、増幅コードブックデータＤACBとして合成フィルタ部17に供給されるとともに、新たな原コードブックデータＤCBOとしてコードブックデコーダ18のメモリに書き込まれる。
このように、連続したフレーム誤りにより音声復号器10の過去の内部状態、すなわち、コードブックデコーダ18のメモリ内の原コードブックデータＤCBOがほぼ零に近くなっていても、その後、フレーム誤りがなくなったときには、一定期間、増幅器16の増幅率に応じた増幅コードブックデータＤACBが励起信号として得られる。従って、連続したフレーム誤りの後、正常に入力された符号化音声信号BSをより本来の電力量に電力量に近い電力量で復号することができ、復号音声信号SPの主観音声品質を向上することができる。
C.具体的適用例
次に図２を参照し、予測符号化方式の１つであるCS−ACELP方式（Conjugate−Structure Algebraic Code Excited Linear−Prediction方式）のCODECの音声復号器に本実施形態を適用した具体例について説明する。なお、この種のCS−ACELP方式の音声符号化器および音声復号器については、例えばR.Salam他による文献“Design and Description of CS−ACELP:A Toll Quality 8kb/s Speech Coder",IEEE Trans.on Speech and Audio Processing,vol.6 No.2,March 1998に説明されている。
（１）音声復号器の構成
図２において、音声復号器20は、パラメータデコーダ21を有している。このパラメータデコーダ21は、受信した符号化音声信号（ビットストリーム）BSからピッチ遅延パラメータ群GP、コードブックゲインパラメータ群GG、コードブックインデックスパラメータ群GC及びLSP（Line Spectrum Pairs）インデックスパラメータ群GLを復号する装置である。
ここで、コードブックインデックスパラメータ群GCには、複数のコードブックインデックスパラメータ及び複数のコードブック符号パラメータが含まれている。
また、音声復号器20は、適応コードベクトルデコーダ22と、固定コードベクトルデコーダ23と、適応前処理フィルタ（adaptive pre−filter）25とを有している。
ここで、適応コードベクトルデコーダ22は、ピッチ遅延パラメータ群GPに対応した適応コードベクトルACVを出力する装置である。さらに詳述すると、この適応コードベクトルデコーダ22は、書き換え可能なメモリを有しており、このメモリには過去入力された所定個数の適応コードベクトルACVが記憶されている。適応コードベクトルデコーダ22は、ピッチ遅延パラメータ群GPをインデックスとし、このインデックスに対応した適応コードベクトルACVをメモリから読み出して出力するのである。また、後述する励起信号再構築部27によって励起信号ＳEXCが再構築された場合、この励起信号ＳEXCが新たな適応コードベクトルACVとして適応コードベクトルデコーダ22のメモリに書き込まれ、同メモリ内の最も古い適応コードベクトルACVが廃棄される。
固定コードベクトルデコーダ23は、コードブックインデックスパラメータ群GCに対応した原固定コードベクトルFCV0を出力する装置である。
これらの適応コードベクトルデコーダ22および固定コードベクトルデコーダ23は、図１におけるコードブックデコーダ18に対応している。
適応前処理フィルタ25は、強調処理手段として機能し、デコードされた原固定コードベクトルFCV0に対し、その高調波成分（harmonic components）を強調する強調処理を行い、固定コードベクトルFCVとして出力する装置である。
さらに、音声復号器20は、ゲインデコーダ24とLSP再構築部26とを有している。
ゲインデコーダ24は、固定コードベクトルFCV（あるいは原固定コードベクトルFCV0）及びコードブックゲインパラメータ群GGに基づいて、適応コードブックゲインACG及び固定コードブックゲインFCGを出力する装置である。
LSP再構築部26は、LSPインデックスパラメータ群GLに基づいて、LSP係数ＣLSPを再構築する装置である。
さらにまた、音声復号器20は、励起信号再構築部27と、LP合成フィルタ28と、後処理フィルタ29と、ハイパスフィルタ／アップスケーリング部30とを有している。
ここで、励起信号再構築部27は、適応コードベクトルACV、適応コードブックゲインACG、固定コードブックゲインFCG及び固定コードベクトルFCV（あるいは原固定コードベクトルFCV0）に基づいて、励起信号ＳEXCを再構築する装置である。この励起信号ＳEXCは、新たな適応コードベクトルACVとして適応コードベクトルデコーダ22のメモリに書き込まれ、同メモリ内の最も古い適応コードベクトルACVが廃棄される。
LP合成フィルタ28は、励起信号ＳEXC及びLSP係数ＣLSPに基づいてLP合成を行い、音声信号ＳSPCを再構築する装置である。
後処理フィルタ29は、音声信号ＳSPCの後処理フィルタリングを行う装置である。この後処理フィルタ29は、ロングターム後処理フィルタ、ショートターム後処理フィルタ及び傾き補償フィルタの３つのフィルタにより構成されている。これらの３つのフィルタは、入力側から出力側に向かって、ロングターム後処理フィルタ→ショートターム後処理フィルタ→傾き補償フィルタの順番で直列に接続されている。
ハイパスフィルタ／アップスケーリング部30は、後処理フィルタ29の出力信号に対してハイパスフィルタリング処理及びアップスケーリング処理を行う装置である。
また、音声復号器20は、誤り検出部31と、カウンタ部32と、切替制御部33とを有している。
ここで、誤り検出部31は、受信した符号化音声信号BSのフレーム誤りを検出し、誤り検出信号ＳERを出力する装置である。
また、カウンタ部32は、誤り検出信号ＳERに基づいて連続フレーム誤り数をカウントし、カウント信号ＳCNを出力する装置である。
さらに切替制御部33は、カウント信号ＳCNによって示される連続フレーム誤り数が所定の基準フレーム誤り数を越えた場合に、その後、フレーム誤りがなくなってから所定フレーム数の間、後述の切替スイッチSW1を後述の第３増幅器44（図３参照）側に切り替えるための切替制御信号ＳSWを出力する装置である。
これらの誤り検出部31と、カウンタ部32と、切替制御部33とは、図１における誤り検出部21Aと、カウンタ部22Aと、切替制御部23Aとに対応している。
図３は励起信号再構築部27の構成例を示すブロック図である。
図３に示すように、励起信号再構築部27は、第１増幅器41と、第２増幅器42と、再構築部43と、切替スイッチSW1と、第３増幅器44とを有している。
ここで、第１増幅器41は、適応コードベクトルACVを適応コードブックゲインACGに対応するゲインで増幅して増幅適応コードベクトルACV1として出力する。
また、第２増幅器42は、固定コードベクトルFCVを固定コードブックゲインFCGに対応するゲインで増幅して増幅固定コードベクトルFCV1として出力する。
再構築部43は、増幅適応コードベクトルACV1及び増幅固定コードベクトルFCV1に基づいて原励起信号ＳEXCOを再構築する。この
切替スイッチSW1は、切替制御信号ＳSWが出力されていないときは原励起信号ＳEXCOをLP合成フィルタ28に出力し、切替制御信号ＳSWが出力されているときは原励起信号ＳEXCOを第３増幅器44に出力する。
第３増幅器44は、原励起信号ＳEXCOを増幅して励起信号ＳEXCとしてLP合成フィルタ28に出力する。
（２）音声復号器の動作
次に音声復号器の動作について説明する。
以下の説明においては、基準連続フレーム誤り数を「４」とする。また、切替制御部33は、連続フレーム誤り数が「４」を越え、その後フレーム誤りがなくなってから１フレームの間、切替スイッチSW1を第３増幅器44側に切り替えるための切替制御信号ＳSWを出力するものとする。
▲１▼連続フレーム誤り数が「４」以下の場合の動作
図２において、パラメータデコーダ21は、受信した符号化音声信号（ビットストリーム）BSからピッチ遅延パラメータ群GP、コードブックゲインパラメータ群GG、コードブックインデックスパラメータ群GC及びLSP（Line Spectrum Pairs）インデックスパラメータ群GLを復号する。
そして、パラメータデコーダ21は、復号により得られたピッチ遅延パラメータ群GPを適応コードベクトルデコーダ22に出力し、コードブックゲインパラメータ群GGをゲインデコーダ24に出力し、コードブックインデックスパラメータ群GCを固定コードベクトルデコーダ23に出力し、LSP（Line Spectrum Pairs）インデックスパラメータ群GLをLSP再構築部26に出力する。
LSP再構築部26は、LSPインデックスパラメータ群GLに基づいてLSP係数ＣLSPを再構築し、LP合成フィルタ28及び後処理フィルタ29に出力する。
適応コードベクトルデコーダ22は、ピッチ遅延パラメータ群GPに基づいて適応コードベクトルACVを復号し、励起信号再構築部27に出力する。
固定コードベクトルデコーダ23は、コードブックインデックスパラメータ群GCに基づいて原固定コードベクトルFCV0をデコードし、適応前処理フィルタ25に出力する。
適応前処理フィルタ25は、デコードされた原固定コードベクトルFCV0に対し、その高調波成分を強調する強調処理を行って固定コードベクトルFCVとしてゲインデコーダ24及び励起信号再構築部27に出力する。
ゲインデコーダ24は、固定コードベクトルFCV（あるいは原固定コードベクトルFCV0）及びコードブックゲインパラメータ群GGに基づいて適応コードブックゲインACG及び固定コードブックゲインFCGを励起信号再構築部27に出力する。
励起信号再構築部27において、第１増幅器41は、適応コードベクトルACVを適応コードブックゲインACGに対応するゲインで増幅して増幅適応コードベクトルACV1として再構築部43に出力する。
また、第２増幅器42は、固定コードベクトルFCVを固定コードブックゲインFCGに対応するゲインで増幅して増幅固定コードベクトルFCV1として再構築部43に出力する。
再構築部43は、増幅適応コードベクトルACV1及び増幅固定コードベクトルFCV1に基づいて原励起信号ＳEXCOを再構築し、切替スイッチSW1に出力する。
ここで、符号化音声信号BSの連続フレーム誤り数が所定の基準フレーム誤り数「４」以下の場合、切替スイッチSW1は、LP合成フィルタ28側に設定されている。
従って、原励起信号ＳEXC0は、励起信号ＳEXCとして、LP合成フィルタ28に出力される。また、この励起信号ＳEXCは、新たな適応コードベクトルACVとして適応コードベクトルデコーダ22のメモリに書き込まれ、同メモリ内の最も古い適応コードベクトルACVが廃棄される。
LP合成フィルタ28は、励起信号ＳEXC及びLSP係数ＣLSPに基づいてLP合成を行って音声信号ＳSPCを再構築し、後処理フィルタ29に出力する。
後処理フィルタ29は、音声信号ＳSPCの後処理フィルタリングを行って、ハイパスフィルタ／アップスケーリング部30に出力する。
ハイパスフィルタ／アップスケーリング部30は、入力された音声信号ＳSPCのハイパスフィルタリング処理及びアップスケーリング処理を行って復号音声信号SPとして出力することとなる。
このように連続フレーム誤り数が４以下の場合、すなわち、符号化音声信号BSの受信状態が良い場合には、適正なレベルの励起信号ＳEXCが適応コードベクトルデコーダ22のメモリに書き込まれ、このようにしてメモリに書き込まれた過去の励起信号ＳEXCを用いて復号化が行われるので、最適な電力量を有する復号音声信号SPが出力されることとなる。
▲２▼フレーム誤りが連続して発生した場合の動作
フレーム誤りが生じると、復号結果を急速に減衰させるコンシールメント処理が行われる。このコンシールメント処理が複数フレーム周期に亙って続くと、適応コードベクトルデコーダ22のメモリ内の適応コードベクトルACVが次第に「０」に近づいてゆく。なお、このコンシールメント処理については、文献“Design and Description of CS−ACELP:A Toll Quality 8kb/s Speech Coder",IEEE Trans.on Speech and Audio Processing,vol.6 No.2,March 1998に説明されている。
▲３▼連続フレーム誤り数が「４」を越え、その後、フレーム誤りがなくなった場合の動作
この場合、切替制御部33は、フレーム誤りがなくなったタイミングから１フレームの間、切替スイッチSW1を第３増幅器44側に切り替えるための切替制御信号ＳSWを出力する。
この結果、励起信号再構築部27では、再構築部43から出力された原励起信号ＳEXC0が切替スイッチSW1を介して第３増幅器44に送られる。
ここで、原励起信号ＳEXC0は、連続的にコンシールメント処理が行われた直後のものであるため、そのレベルは僅かである。しかし、原励起信号ＳEXC0は、第３増幅器44によって増幅され、原励起信号ＳEXCとしてLP合成フィルタ28に出力されるとともに新たな適応コードベクトルACVとして適応コードベクトルデコーダ22のメモリに書き込まれる。
このため、音声復号器20の過去の内部状態、すなわち、適応コードベクトルデコーダ22のメモリ内の適応コードベクトルACVが早期に正常なときの状態に復帰し、正常な場合とほぼ同様な電力量を有する復号音声信号SPが出力されることとなる。
したがって、復号音声信号SPの主観音声品質が増幅処理を行わない場合と比較して向上されることとなる。
D.実施形態の変形例
以上の説明においては、音声信号処理装置の具体例として、CS−ACELP方式の音声復号器の場合について説明したが、本発明は、予測符号化を行っている音声信号処理装置であれば、他の方式の音声信号処理装置にも適用が可能であり、例えば、APC（Adaptive Predictive Coding）、LPC（Linear Prediction Coding）、RELP（Residual Excited LPC）、CELP（Code Excited LPC）、などの方式を用いた音声復号器についても適用が可能である。
【図１】
0003554566.tif 000002
【図２】
0003554566.tif 000003
【図３】
0003554566.tif 000004